(57)【要約】【課題】水栓本体部と湯水混合バルブユニットとの当接面における水密性を確保することができ、温度表示部を一定位置に設定することができる湯水混合水栓を提供する。【解決手段】湯水混合水栓１０内の湯水混合バルブユニット１３は、下部バルブ押さえ部材１５を、水栓本体１９に螺合させることにより螺合部Ｓを介して水栓本体１９に固定されている。湯水混合バルブユニット１３を構成する操作ロッド１３ａや回動部材１８などを覆うため、下部バルブ押さえ部材１５の上方に上部バルブ押さえ部材１６が取り付けられ、その外周に温度表示部が設けられている。上部バルブ押さえ部材１６の内周面および下部バルブ押さえ部材１５上端の突起部１５ａの外周面にそれぞれ互いに噛合するスプライン部１６ｓ，１５ｓが設けられている。上部バルブ押さえ部材１６と下部バルブ押さえ部材１５との対向部分にはリング状パッキン２０が嵌入されている。【選択図】図４
2008088678.tif 000002
【特許請求の範囲】
【請求項１】
操作レバーの上下回動操作で吐水止水および吐水量調節を行い、左右回動操作で吐水の温度調節を行う湯水混合バルブユニットが内蔵された湯水混合水栓であって、
水栓本体に螺合することによって前記湯水混合バルブユニットを前記水栓本体に固定する下部バルブ押さえ部材と、前記湯水混合バルブユニットの上部を覆うため前記下部バルブ押さえ部材の上方に取り付けられた上部バルブ押さえ部材と、
前記上部バルブ押さえ部材に設けられた温度表示部と、を備え、
前記上部バルブ押さえ部材および前記下部バルブ押さえ部材に、取り付け方向の移動により装着可能であって、前記取り付け方向周りに回転不能に嵌合する嵌合部を設けたことを特徴とする湯水混合水栓。
【請求項２】
前記湯水混合バルブユニットの操作ロッドと前記上部バルブ押さえ部材との間に、予め定められた所定位置にある前記操作レバーの左右への回動を抑制する抵抗手段を設けたことを特徴とする請求項１記載の湯水混合水栓。
【請求項３】
前記上部バルブ押さえ部材を前記下部バルブ押さえ部材に着脱可能に係止するための係止手段を、前記上部バルブ押さえ部材と前記下部バルブ押さえ部材の少なくとも一方に設けたことを特徴とする請求項１または２記載の湯水混合水栓。
【請求項４】
前記係止手段として、前記上部バルブ押さえ部材と前記下部バルブ押さえ部材との対向部分に嵌入されるリング状パッキンを設けたことを特徴とする請求項３記載の湯水混合水栓。
【発明の詳細な説明】
【技術分野】
【０００１】
本発明は、シングルレバー式の湯水混合水栓に関する。
【背景技術】
【０００２】
シングルレバー式の湯水混合水栓は、一般に操作レバーの上下回動操作によって吐水止水および吐水量調節が行われ、左右回動操作によって吐水される湯水の温度調節が行われる。このようなシングルレバー式の湯水混合水栓において、温度表示用のインデックス（温度表示部）が操作レバー側（可動部材側）に設けられていると、使用者が見たとき、操作レバーの操作とともに温度表示部が動いてしまうため、吐水温度が分かり難い。
【０００３】
一方、スパウト部が固定されている湯水混合水栓の場合、湯水混合水栓の正面位置はスパウト部が向いている方向であると判断することができ、湯水混合水栓の正面位置に対する操作レバーの位置を認識することができるが、スパウト部が左右に回動可能な湯水混合水栓の場合は、湯水混合水栓の正面位置自体が分かり難いため、操作レバーが現在どのような吐水温度位置にあるのか、より一層、判断し難い。
【０００４】
そこで、固定部材である水栓本体側にインデックスを設けたものがある（例えば、特許文献１参照。）。特許文献１記載の「シングルレバー式混合水栓」においては、リング状をしたインデックス表示部材（表示リング）が、係止爪や圧入などの係止手段を用いて水栓本体に取り付けられている。
【０００５】
【特許文献１】特開２００１−２６２６４４号公報
【発明の開示】
【発明が解決しようとする課題】
【０００６】
特許文献１記載の「シングルレバー式混合水栓」の場合、水栓本体に湯水混合バルブユニットを固定する手段として、雄ネジ部材（バルブ押さえ）が用いられ、さらに、湯水混合バルブユニットを覆うために合成樹脂製カバーが用いられている。一方、部品点数の削減の観点から、バルブ押さえとカバーとを一体化させ、カバー自体にバルブ押さえの機能を持たせることが多い。この場合、水栓本体と湯水混合バルブユニットとの当接面における水密性を確保するため、バルブ押さえは螺合機構によって水栓本体に固定されている。
【０００７】
このようなバルブ押さえに特許文献１記載の温度表示機能を持たせた場合、バルブ押さえが水栓本体に対して螺合固定される構造であるため、温度表示部を一定位置に定めることが困難であり、前述したように、操作レバーが現在どのような吐水温度位置にあるのか使用者にとって分かり難い温度表示となってしまう。
【０００８】
本発明が解決しようとする課題は、水栓本体と湯水混合バルブユニットとの当接面における水密性を確保することができ、温度表示部を一定位置に設定することができる湯水混合水栓を提供することにある。
【課題を解決するための手段】
【０００９】
本発明の湯水混合水栓は、操作レバーの上下回動操作で吐水止水および吐水量調節を行い、左右回動操作で吐水の温度調節を行う湯水混合バルブユニットが内蔵された湯水混合水栓であって、
水栓本体に螺合することによって前記湯水混合バルブユニットを前記水栓本体に固定する下部バルブ押さえ部材と、前記湯水混合バルブユニットの上部を覆うため前記下部バルブ押さえ部材の上方に取り付けられた上部バルブ押さえ部材と、
前記上部バルブ押さえ部材に設けられた温度表示部と、を備え、
前記上部バルブ押さえ部材および前記下部バルブ押さえ部材に、取り付け方向の移動により装着可能であって、前記取り付け方向周りに回転不能に嵌合する嵌合部を設けたことを特徴とする。
【００１０】
このような構成とすれば、湯水混合バルブユニットは水栓本体に螺合する下部バルブ押さえ部材によって水栓本体に固定されるため、水栓本体と湯水混合バルブユニットとの当接面における水密性を確保することができる。また、水栓本体に螺合された下部バルブ押さえ部材の嵌合部に、上部バルブ押さえ部材の嵌合部を嵌合させることにより、上部バルブ押さえ部材を、下部バルブ押さえ部材の周方向の所定位置に取り付けることができる。このため、上部バルブ押さえ部材の温度表示部を湯水混合バルブユニットに対して一定位置に設定することができる。
【００１１】
なお、前記嵌合部としては、下部バルブ押さえ部材に対する上部バルブ押さえ部材の取り付け方向の移動（例えば、操作レバーの回動中心線に沿った方向の移動）により装着可能、且つ、互いの装着位置を前記回動中心線周りに変更可能であって、前記回動中心線周りに回転不能に嵌合するものが望ましく、例えば、セレーション構造、スプライン構造あるいは多角形構造などを用いることができる。
【００１２】
ここで、前記湯水混合バルブユニットの操作ロッドと前記上部バルブ押さえ部材との間に、予め定められた所定位置にある前記操作レバーの左右への回動を抑制する抵抗手段を設けることができる。このような構成とすれば、使用者が操作レバーを操作するときに受ける抵抗力により操作レバーが予め規定された所定位置にあることを認識することができるため、使用者が吐水させたい吐水温度と異なる温度の湯水が吐水されてしまう誤操作を防止することができる。また、所定位置から左右に回動させた位置にある操作レバーを所定位置に戻すときも、使用者が受ける抵抗力により正確な位置に戻ったことを認識することができる。
【００１３】
一方、前記上部バルブ押さえ部材を前記下部バルブ押さえ部材に着脱可能に係止するための係止手段を、前記上部バルブ押さえ部材と前記下部バルブ押さえ部材の少なくとも一方に設けることができる。このような構成とすれば、上部バルブ押さえ部材のガタつきあるいは離脱を防止することができる。
【００１４】
この場合、前記係止手段として、前記上部バルブ押さえ部材と前記下部バルブ押さえ部材との対向部分に嵌入されるリング状パッキンを設けることが望ましい。このような構成とすれば、構造の複雑化を回避しつつ、上部バルブ押さえ部材のガタつきあるいは離脱を確実に防止することができる。
【発明の効果】
【００１５】
本発明により、水栓本体と湯水混合バルブユニットとの当接面における水密性を確保することができ、温度表示部を一定位置に設定することができる湯水混合水栓を提供することができる。
【発明を実施するための最良の形態】
【００１６】
以下、図面に基づいて本発明の実施の形態について説明する。図１は本発明の実施の形態である湯水混合水栓を示す斜視図、図２は図１に示す湯水混合水栓の分解斜視図、図３は図１に示す湯水混合水栓の一部切欠側面図、図４は図３の一部拡大図、図５は図４の一部省略分解図、図６は図１に示す湯水混合水栓の操作状態を示す一部省略平面図である。
【００１７】
図１〜図４に示すように、本実施形態の湯水混合水栓１０においては、操作レバー１１の上下回動操作により吐水口１２からの吐水止水および吐水量調節を行い、左右回動操作で吐水の温度調節を行う湯水混合バルブユニット１３が内蔵されている。湯水混合バルブユニット１３は、その上方から下部バルブ押さえ部材１５を被せるようにして、スパウト１４の上端部から突出する水栓本体１９に螺合させることによって水栓本体１９に固定されている。即ち、湯水混合バルブユニット１３と水栓本体１９とは螺合部Ｓを介して密接している。
【００１８】
また、湯水混合バルブユニット１３を構成し、操作レバー１１に連動して動く操作ロッド１３ａや、操作ロッド１３ａとともに左右方向に回動し、操作レバー１１の左右への回動時に抵抗感を持たせる機構を構成する回動部材１８などを覆うため、下部バルブ押さえ部材１５の上方に上部バルブ押さえ部材１６が、互いの対向部分に嵌入されるリング状パッキン２０を用いることで着脱可能に取り付けられている。この上部バルブ押さえ部材１６の外周には温度表示部１７が設けられている。
【００１９】
温度表示部１７は、印刷により横長の帯状に設けられ、横方向の長さは操作レバー１１の左右回動操作範囲と略一致するように設けられている。そして、温度表示部１７は、湯のみが吐水される高温領域１７ａ、湯と水が混合される混合領域１７ｂ、水のみが吐水される低温領域１７ｃに区分されている。湯のみの領域１７ａは赤色、湯と水が混合される領域１７ｂは橙色、水のみの領域１７ｃは青色に表示されている。温度表示部１７の高温領域１７ａと混合領域１７ｂとの境界上、混合領域１７ｂの中央部、混合領域１７ｂと低温領域１７ｃの境界上の裏側には少なくとも１箇所、後述する抵抗手段としての凹部２２ａが設けられている。湯水混合バルブユニット１３は下部バルブ押さえ部材１５内に配置され、水栓本体１９の下端部および上端部を除く部分を包囲するようにスパウト１４が取り付けられている。
【００２０】
図５に示すように、上部バルブ押さえ部材１６の内周面および下部バルブ押さえ部材１５上端の突起部１５ａの外周面にそれぞれ互いに噛合するスプライン部１６ｓ，１５ｓが設けられている。また、上部バルブ押さえ部材１６を下部バルブ押さえ部材１５に着脱可能に係止する係止手段として、上部バルブ押さえ部材１６と下部バルブ押さえ部材１５との対向部分に嵌入されるリング状パッキン２０を設けている。リング状パッキン２０は、下部バルブ押さえ部材１５の突起部１５ａの外周に設けられた周溝１５ｂと、上部バルブ押さえ部材１６の内周に形成された周溝１６ｂとの間に嵌入されている。周溝１５ｂはスプライン部１５ｓの直下に設けられ、周溝１６ｂはスプライン部１６ｓの直下に設けられている。
【００２１】
湯水混合水栓１０において、湯水混合バルブユニット１３は、水栓本体１９に螺合する下部バルブ押さえ部材１５によって水栓本体１９に固定されているため、湯水混合バルブユニット１３と水栓本体１９との当接面１９ａにおける水密性を確保することができる。湯水混合水栓１０を組み立てる場合、水栓本体１９に湯水混合バルブユニット１３を固定した後、湯水混合バルブユニット１３の上方に後述する回動部材１８を載置する。次に、操作ロッド１３ａを湯側あるいは水側の何れかの方向に最大限可動させ、操作ロッド１３ａの正面部１３ｂの方向と温度表示部１７の端部とが略一致するように上部バルブ押さえ部材１６の位置決めを行う。
【００２２】
そして、上部バルブ押さえ部材１６の取り付け位置が決まった後、水栓本体１９に螺合された下部バルブ押さえ部材１５のスプライン部１５ｓに、上部バルブ押さえ部材１６のスプライン部１６ｓを噛合させることにより、上部バルブ押さえ部材１６を下部押さえ部材１５に取り付ける。これによって、上部バルブ押さえ部材１６の温度表示部１７を一定位置に設定し、装着することができる。なお、上部バルブ押さえ部材１６は、下部押さえ部材１５に対して取り付け方向の移動により装着可能であって、且つ取り付け方向周りに回転しない構造であれば良いので、スプライン部１５ｓ，１６ｓの代わりにセレーション構造あるいは多角形構造などの嵌合構造を採用することもできる。
【００２３】
上部バルブ押さえ部材１６と下部バルブ押さえ部材１５との対向部分である周溝１５ｂ，１６ｂにリング状パッキン２０を嵌入させることにより、上部バルブ押さえ部材１５を下部バルブ押さえ部材１６に着脱可能に係止している。従って、構造の複雑化を回避しつつ、上部バルブ押さえ部材１５のガタつきあるいは離脱を確実に防止することができる。
【００２４】
一方、図６（ａ）に示すように、操作ロッド１３ａとともに左右方向に回動する回動部材１８と上部バルブ押さえ部材１６との間には、予め定められた所定位置にある操作レバー１１（図１参照）の左右への回動を抑制する抵抗手段２１を設けている。抵抗手段２１は、上部バルブ押さえ部材１６内周に沿って設けられた円弧状の係止部２２内周の凹部２２ａと、回動部材１８の外周に取り付けられた略Ｖ字状の板バネ２３とによって形成されている。係止部２２内周の凹部２２ａは湯水混合水栓１０の正面位置に配置され、板バネ２３の突起部は凹部２２ａに嵌入離脱可能である。操作レバー１１（図１参照）が正面位置にあるとき、板バネ２０の突起部は凹部２１ａ内に嵌入している。
【００２５】
正面位置にある操作レバー１１を左右方向へ回動させようとすると、図６（ａ）に示すように、凹部２２ａ内に嵌入している板バネ２３がそれを抑制する抵抗手段２１として機能する。このため、操作レバー１１が所定位置にあることを使用者に確実に認識させることができ、使用者は操作レバー１１の位置を誤認することはない。
【００２６】
一方、操作レバー１１（図１参照）を左側（時計方向）に少し回動させると、図６（ｂ）に示すように、板バネ２３は凹部２２ａから離脱して係止部２２の内周に摺動可能に接触しているため、操作レバー１１の回動操作を妨げることはない。また、操作レバー１１を正面位置に戻すときは、板バネ２３の突起部が凹部２２ａ内に嵌入してクリック音およびクリック感を生じるので、使用者は操作レバー１１が正確に正面位置に戻ったことを認識することができる。
【００２７】
また、前述したように、温度表示部１７の高温領域１７ａと混合領域１７ｂの境界上の裏側に凹部２２ａを設けた場合には、板バネ２３の突起部が凹部２２ａ内に嵌入してクリック音およびクリック感を生じるので、使用者に「高温の湯が出ること」に対する注意を促すことができる。さらに、混合領域１７ｂと低温領域１７ｃとの境界上の裏側に凹部２２ａを設けた場合には、板バネ２３の突起部が凹部２２ａ内に嵌入してクリック音およびクリック感を生じるので、使用者に「水のみが吐水されること」を知らせることができ、無駄な湯が吐水されることを防ぐことができる。
【００２８】
なお、温度表示部１７の構成は、本実施形態に限定するものではないので、例えば、水側から湯側に向けて青色から赤色へのグラデーションで構成するなど種々の形態が可能である。また、温度表示部１７の設置機構についても、例えば、係止爪を設けた樹脂部品に温度表示部１７を設け、係止孔を設けた上部バルブ押さえ部材１６に合成樹脂部品を係止するなど種々の機構が可能である。
【図面の簡単な説明】
【００２９】
【図１】本発明の実施の形態である湯水混合水栓を示す斜視図である。
【図２】図１に示す湯水混合水栓の分解斜視図である。
【図３】図１に示す湯水混合水栓の一部切欠側面図である。
【図４】図３の一部拡大図である。
【図５】図４の一部省略分解図である。
【図６】図１に示す湯水混合水栓の操作状態を示す一部省略平面図である。
【符号の説明】
【００３０】
１０  湯水混合水栓
１１  操作レバー
１２  吐水口
１３  湯水混合バルブユニット
１３ａ  操作ロッド
１３ｂ  操作ロッドの正面部
１４  スパウト
１５  下部バルブ押さえ部材
１５ａ  突起部
１５ｂ，１６ｂ  周溝
１５ｓ，１６ｓ  スプライン部
１６  上部バルブ押さえ部材
１７  温度表示部
１７ａ  高温領域
１７ｂ  混合領域
１７ｃ  低温領域
１８  回動部材
１９  水栓本体
１９ａ  当接面
２０  リング状パッキン
２１  抵抗手段
２２  係止部
２２ａ  凹部
２３  板バネ
Ｓ  螺合部
【図１】
2008088678.tif 000003
【図２】
2008088678.tif 000004
【図３】
2008088678.tif 000005
【図４】
2008088678.tif 000006
【図５】
2008088678.tif 000007
【図６】
2008088678.tif 000008